(57)【特許請求の範囲】
【請求項１】
薬液収納室を備えた薬液収納容器の該薬液収納室に薬液を収納し、蓋材にて該薬液収納室を被閉してなる薬液収納部と、
前記薬液収納容器とは別体で、医療器具収納室を備えた医療器具収納容器の該医療器具収納室内に医療器具を収納し、前記蓋材とは異なる蓋材にて該医療器具収納室を被閉してなる医療器具収納部とを備え、
薬液収納部と医療器具収納部とを係合して一体化してなる構成を備えた医療キット。
【請求項２】
医療器具収納容器の鍔部に、薬液収納容器を着脱可能に係合し得る装着部を備えた請求項１に記載の医療キット。
【請求項３】
薬液収納容器の薬液収納室に薬液を収納し、蓋材にて薬液収納室を被閉する一方、医療器具収納容器の医療器具収納室内に医療器具を収納し、蓋材にて医療器具収納室を被閉して滅菌処理を施し、前記薬液収納容器を前記医療器具収納容器に係合して一体化してなる請求項１又は２に記載の医療キット。
【発明の詳細な説明】
【技術分野】
【０００１】
本発明は、注射器、ガーゼ、綿球、ピンセット等の医療器具と消毒用薬液などの薬液とを収納した医療キットに関する。
【背景技術】
【０００２】
現在、透析室や処置室・オペ室等において、治療前後の患部消毒や処置用としてガーゼ、ピンセット、綿棒、綿球、粘着テープ等の衛生材料や医療用雑品、医療器具などを、トレーや袋に詰め合わせてキット化した医療キットが使用されている。このような医療キットは、使い捨て可能で使い易いばかりか、院内感染の防止、人件費を含めた経費削減、作業の省力化・効率化などにも貢献するため、今後も需要は益々伸びることが期待される。
【０００３】
従来のこの種の医療キットとして、例えば注射器、ガーゼ、綿球、ピンセット等の医療器具を収納する収納部の一部を折り戻し可能に形成し、そこに消毒用薬液等を溜めるように構成されたもの（下記、特許文献１参照）や、医療用品を収納するための区画域の少なくとも一つに取り外し可能なトレーを被嵌するように構成されたもの（下記、特許文献２参照）、或いは、医療用具を収納する医療用具収納部と医療用液体を充填する液体収納部とを備えたもの（下記、特許文献３参照）などが開示されている。
【特許文献１】特開２０００−２２５１２６号公報
【特許文献２】特開２００２−１０２２５２号公報
【特許文献３】特開２０００−２７１１５０号公報
【発明の開示】
【発明が解決しようとする課題】
【０００４】
ところで、治療前後の患部消毒や処置用として、実際に医療現場で医療キットを使用する場合、必ず消毒用薬液が必要となる。ところが、特許文献１等で提案されている医療キットなどは、消毒用薬液を入れるスペース（貯液部）を備えているものの、使用する際にいちいち消毒用薬液を貯液部に充填しなければならず、不便であった。しかも、この種の医療キットは一般に廃棄処理を考えてコンパクトに設計されたものが多く、幅や奥行き及び深さに余裕が無いため、消毒用薬液を慎重に充填する必要があり、より一層煩雑で面倒なものとなっていた。また、必要量以上の消毒用薬液を貯液部に充填する傾向があるため、無駄が多いとの指摘もあった。特に同時に多数の患者を治療する大規模な透析室等においては、このような課題は深刻であり、早期の解決が強く求めれていた。
【０００５】
そこで、予め医療キット内に適量の消毒用薬液が収容されていれば、とても便利であると考えられるが、例えば特許文献３に提案されたものは、医療用液体を液体収納部に充填した後、医療用具を医療用具収納部に収納し、ＥＯＧ滅菌、電子線滅菌、γ線滅菌、オートクレーブ滅菌などの滅菌処理を施すように構成されているため、滅菌処理によって、消毒用薬液を封入した収容部分が破損して液漏れを起したり、場合によっては破裂したり、消毒用薬液を変質させたりする可能性があった。
【０００６】
そこで本発明は、上記課題に鑑み、注射器、ガーゼ、綿球、ピンセット等の医療器具（衛生材料、医療用具及び医療用雑品として許可されたものを含む）と共に予め消毒用薬液（薬事法で許可された消毒薬液を含む）などの薬液を収納した医療キットであって、医療器具に対する滅菌処理の影響が薬液に及ばないように構成することができる医療キットを提供せんとするものである。
【課題を解決するための手段】
【０００７】
本発明は、薬液収納室を備えた薬液収納容器の該薬液収納室に薬液を収納し、蓋材にて該薬液収納室を被閉（被せて封止）してなる薬液収納部と、
前記薬液収納容器とは別体で、医療器具収納室を備えた医療器具収納容器の該医療器具収納室内に医療器具を収納し、前記蓋材とは異なる蓋材にて該医療器具収納室を被閉してなる医療器具収納部とを備え、
薬液収納部と医療器具収納部とを係合して一体化してなる構成を備えた医療キットを提供するものである。
【０００８】
本発明の医療キットは、薬液収納容器の薬液収納室に薬液を収納し、蓋材にて薬液収納室を被閉する一方、医療器具収納容器の医療器具収納室内に医療器具を収納し、蓋材にて医療器具収納室を被閉して滅菌処理を施し、前記薬液収納容器を前記医療器具収納容器に係合して一体化してなる医療キットとすることができる。
【発明の効果】
【０００９】
本発明の医療キットは、医療器具収納部（薬液収納容器）と薬液収納部（薬液収納容器）とを別体とし、薬液収納部を医療器具収納部に係合一体化する構成としてあるので、実際の製造に関しても技術的に大きな問題がなく、製造設備も低コストで簡便に製造することができる。
使用者の立場からみても、医療キット内に消毒用薬液等の薬液が収納されているので、いちいち消毒用薬液を貯液部に充填する必要がなく、消毒作業や透析などの医療作業を簡便に行うことができる。また、必要十分な量の薬液が予め収納されているので、薬液を使い過ぎることがなく、薬液の無駄を省くことができ、省力化と経費節減に貢献することができる。このように使用者にとっても、利便性、経済性、機能性などの点で多くのメリットを享受できる。
【００１０】
また、仮に医療器具収納部と薬液収納部とを一つの蓋材で被閉する構成とすれば、医療器具収納部を滅菌処理する際、同時に薬液収納部も滅菌処理を受けることになり、この滅菌処理によって薬液の変質や、薬液の蒸発による薬液収納部の爆発などの可能性があるため、多大な設備投資の費用が予想されるばかりか、滅菌処理の方法や蓋材の材質などを限定せざるを得ない。
これに対し、本発明の医療キットは、医療器具と薬液を別々に収納し、別々に被覆する構成としてあるから、医療器具収納部のみ滅菌処理を施すことができ、滅菌処理後に医療器具収納部に薬液収納部を係合一体化（係着）させることができるから、医療器具に対する滅菌処理の影響を薬液収納部内の薬液に与えないようにすることができる。このため、電子線滅菌、放射線滅菌、ＥＯＧ滅菌などの滅菌処理方法、薬液の種類・濃度及び蓋材の材質などについて用途に応じて自由に選択することができるから、安全性、製造コスト、利便性、機能性などの点において優れている。
【発明を実施するための最良の形態】
【００１１】
以下、図面を用いて本発明の実施例について説明する。但し、本発明の範囲が下記実施例に限定されるものではない。
【００１２】
図１（Ａ）は、本発明の一実施例としての医療キット１の分解斜視図、図１（Ｂ）は、（Ａ）に示した医療キット１の装着部３の側断面図、図２（Ａ）は、装着部３の他の一例を示した分解斜視図、図２（Ｂ）は、（Ａ）の装着部３の側断面図である。
【００１３】
図１（Ａ）に示すように、医療キット１は、医療器具を収納した医療器具収納部２と、薬液を収納した薬液収納部４とを備え、医療器具収納部２に設けた装着部３に薬液収納部４を着脱可能に係着して一体化し得るように構成されている。
【００１４】
（医療器具収納部２）
医療器具収納部２は、注射器、ガーゼ、包帯、止血テープ、ピンセット、綿球などのいずれか或いはこれらのうちの二種類以上の組合せからなる医療器具（医療用補助品含む）を収納するトレー状の医療器具収納容器２Ａを備え、医療器具収納容器２Ａ内に前記医療器具を収納し、蓋材７で被覆することにより形成することができる。
【００１５】
医療器具収納容器２Ａの材質は、特に限定するものではないが、保形性を有する樹脂から形成するのが好ましい。例えばポリスチレン、ポリエチレン、ポリプロピレン、ポリエチレンテレフタレート、アモルファス−ポリエチレンテレフタレート、ポリブチレンテレフタレートのいずれかの樹脂、或いはこれら二種類以上のポリマーブレンド或いはコポリマー、或いはＰＰ／ＥＶＯＨ／ＰＰなど積層構成のラミネート樹脂等を採用することができる。また、医療器具収納容器２Ａの材質は、滅菌方法を考慮して選択することも好ましいことである。ＥＯＧ等のガス滅菌の場合には特に材質を選ばないが、放射線もしくは電子線滅菌の場合には、耐放射線性材料を使用するの好ましく、オートクレーブ滅菌の場合には耐熱性材料を用いるのが好ましい。
このような樹脂からシート体を形成し、このシート体を、真空成形、圧空成形、圧空真空成形など適宜成形手段で成形することで医療器具収納容器２Ａを形成することができる。但し、原料樹脂が前記樹脂に限定されるものではない。
【００１６】
医療器具収納容器２Ａは、医療器具を収納する凹陥状の収納室２ａと、薬液収納部４を係着し得る装着部３とを設けて形成してある。収納室２ａと装着部３を備えていれば、他の構造を形成することは任意である。
【００１７】
医療器具を収納する収納室２ａは、上面視略長方形状のシート体のシート面内に、装着部３を形成する部分を除いて、シート体を凹陥して医療器具を収納し得る凹部を形成する共に、該凹部内に、底面２ｂを隆起させてなる仕切壁２ｃ、２ｄを設け、該仕切壁２ｃ、２ｄによって該凹部内に区画室６ａ、６ｂ、６ｃを設けるように形成してある。
この際、収納室２ａ内に設ける区画室の数、形状、大きさなどは適宜形成可能である。本実施例の場合には、３つの区画室６ａ、６ｂ、６ｃを設け、それぞれ区画室６ａはピンセットなどの長尺状の物を収納し易い区画に、区画室６ｂはガーゼなどの平板状の物を収納し易い区画に、区画室６ｃは綿球などの立体物を収納し易い区画に形成してある。なかでも、区画室６ａの底面は、一部の底面２ｂを若干隆起させて載置部２ｅとして形成してあり、ここにピンセットなどの後端を載置してピンセットなどを取り出し易いように形成してある。
なお、収納室２ａ内の構成は任意に形成可能である。一例として、底面２ｂを傾斜面とし、医療器具を取り出し易く形成することも可能である。
【００１８】
なお、本実施例では、収納室２ａは、上面から見た形状において、略長方形状のシート体のシート面内の一隅を長方形状に切り欠いた形状、言い換えれば略長方形状の一部に略長方形状の突出部を設けたような形状に形成してあるが、略長方形状のシート体の代わりに、他の矩形状、略円形状、略楕円形状、その他の形状のシート体を用いて形成することも可能である。又、収納室２ａの形状も、上記形状に限定されず任意形状に形成可能である。
【００１９】
上記収納室２ａを形成したシート体のシート面内で、上記収納室２ａを形成した周縁は鍔部５として残し、この鍔部５には収納室２ａの全周を囲むように、適宜幅で適宜高さに隆起してなるシール部５ｂを周設し、このシール部５ｂに蓋材７を貼着し易いようにしてある。
【００２０】
装着部３は、薬液収納部４を係着する部分、言い換えれば薬液収納部４の被係着部であり、収納室２ａを形成したシート体の残りのシート面５ａ内に形成してある。すなわち、当該シート体のシート面５ａ内に、薬液収納部４の底部を差し込むことが可能な開口部３ａを設けると共に、この開口部３ａの内周縁部を、薬液収納部４の底部を該開口部３ａ内に差し込んだ際に薬液収納部４の側面に沿うように、シート裏面方向に折曲して係合内縁部３ｂを形成し、さらにこの係合内縁部３ｂの先端部分を内側に折り曲げて係合片３ｃとして形成してある。
【００２１】
蓋材７は、医療器具を収納する収納室２ａを被覆し、シール部５ｂに貼着して収納室２ａを封止するものである。
蓋材７の材質は、特に限定するものではないが、例えば滅菌紙、ポリエチレンテレフタレート、ポリエチレン、ポリプロピレン、不織布などからなるフィルム乃至シート材を採用することができ、滅菌方法に適した材質を選択することが重要である。例えば、γ線等の放射線滅菌や電子線滅菌の場合はあらゆる材質を選択可能であるが、なかでもポリエチレンテレフタレート、ポリエチレン、ポリプロピレンなどが好ましい。ＥＯＧ等のガス滅菌の場合には、滅菌紙、不織布等が好ましく、また、滅菌紙部分を一部に備えた複合材料を用いることもできる。
この蓋材７は、ヒートシール等の接着手段により上記シール部５ｂに貼着するのが好ましい。但し、その他任意の手段を採用することも可能である。
【００２２】
（薬液収納部４）
薬液収納部４は、医療器具収納容器２Ａとは別体の薬液収納容器４Ａを備え、この薬液収納容器４Ａ内に薬液を収納し、蓋材９で被覆することにより形成することができる。
【００２３】
薬液収納容器４Ａは、ポピドンヨード、アルコールなどの消毒用薬液、その他液状の薬液、治療薬、蒸留水、滅菌水或いはこれらに浸した綿球又はガーゼ類を収納し得るカップ状の容器として形成してある。但し、薬液収納容器４Ａの形状はカップ状に限定されるものではなく、適宜形状に形成可能である。
【００２４】
薬液収納容器４Ａの材質は、特に限定するものではないが、保形性、耐薬品性、薬液の浸透及び揮発を抑えるバリア性などを備えた樹脂からなるシート乃至フィルムを採用するのが好ましい。例えば、ポリスチレン、ポリエチレン、ポリプロピレン、ポリエチレンテレフタレートなどを好ましく用いることができる。
【００２５】
薬液収納容器４Ａは、上面視略長方形状のシート体のシート面内に、上面視略長方形状に凹陥した収納室４ｂを形成し、この収納室４ｂを形成しないシート面を鍔部８として残して形成してある。
ここで、上面視略長方形状のシート体の代わりに、他の矩形状、略円形状、略楕円形状、その他の形状のシートを用いことも可能であるし、収納室４ａの形状も任意形状に形成可能である。
また、収納室４ｂの深さは医療器具収納部２の収納室２ａの深さと略同一とするのが好ましい。
【００２６】
収納室４ｂは、その側面４ｃに段部を設け、この段部を介して下側が若干窄んで低容量になるように２段に形成してあり、その側面下段部の上部寄り部位に（本実施例では、略矩形状に凹陥した収納室４ｂの側面角稜部の上部寄り部位に）、外方に突起した係合突起４ａを形成してあり、図１（Ｂ）に示すように、上記装着部３の開口部３ａ内に薬液収納容器４Ａの底部を差し込むと、薬液収納容器４Ａの側面上段部は装着部３の係合内縁部３ｂに嵌合し、収納室４ｂの側面４ｃの段部と係合片３ｃとが係合して薬液収納容器４Ａは下方に抜けないように係合され、かつ係合片３ｃの先端部と係合突起４ａとが係合し、薬液収納容器４Ａは上方にも抜けないように係合されるようにしてある。
【００２７】
また、鍔部８には、収納室４ｂの全周を囲むように、適宜幅で適宜高さに隆起してなるシール部８ａを形成してあり、このシール部８ａに蓋材９を貼着し易いようにしてある。
【００２８】
蓋材９は、薬液を収容する収納室４ｂを被覆するものであり、収納室４ｂの上縁部４ｄ（すなわちシール部８ａ）に沿った形状に形成されており、ヒートシール等の方法でシール部８ｂに貼着して収納室４ｂを密封するようにすればよい。
【００２９】
蓋材９は、上記蓋材７とは別材質のものを用いるのが好ましい。その材質を特に限定するものではないが、防水性、耐薬品性を備えている必要はある。例えば、樹脂基材シートのシート面に金属薄膜層を積層してなる複合シートを好ましい一例として挙げることができる。具体的には、ポリエチレン、ポリプロピレン、ポリエチレンテレフタレートなどの樹脂基材シートに、アルミ等の金属を蒸着乃至ラミネートして金属薄膜層を積層してなる複合シートなどを好ましく用いることができる。
【００３０】
（医療キット１の製造）
上記医療器具収納容器２Ａ及び薬液収納容器４Ａを用いて医療キット１を製造するには、次のようにすればよい。但し、以下の方法に限定するものではない。
【００３１】
医療器具収納容器２Ａの収納室２ａ内に、例えばピンセット、ガーゼ、綿球などの医療器具（衛生材料、医療用具及び医療用雑品として許可されたものを含む）を収納した後、ヒートシール等の貼着方法によって蓋材７を収納室２ａに被着させて封止し、次いで、収納室２ａ内の医療器具を滅菌処理する。
この際、滅菌処理の方法としては、薬液の変質や滅菌処理による爆発などを考慮する必要がないため、あらゆる滅菌処理方法を採用することができる。例えば、γ線等の放射線を照射する放射線・電子線滅菌、ＥＯＧ滅菌などのガス滅菌、オートクレーブ等による加熱・加圧殺菌など、その他現在或いは将来開示される任意の滅菌処理を施すことができる。
【００３２】
他方、薬液収納部４は、上記医療器具収納部２とは別に、薬液収納容器４Ａの収納室４ｂ内に薬液（薬事法で許可された消毒薬液を含む）を充填し、ヒートシール等の貼着方法によって蓋材９を収納室４ｂに被着させて密封する。
なお、薬液の充填については、オペや術後などの患部消毒としての使用目的からすると、無菌室において充填するのが望ましいが、現在使用されている病院や透析室などの利用環境や消毒レベルからすると、予め薬液収納容器４Ａ及び蓋材９を消毒しておき、クリーンルーム内で充填してもよい。最終的にどのような充填方法を採用するかの決定は、製品の薬事法に係る基準に従うことになる。
【００３３】
そして、医療器具収納容器２Ａの装着部３における開口部３ａ内に薬液収納部４を挿入し、薬液収納容器４Ａの係合突起４ａを、装着部３における係合片３ｃに係合させて薬液収納部４を着脱可能に係着すれば医療キット１を完成されることができる。
【００３４】
上記医療キット１においては、係合片３ｃと係合突起４ａとが係合するように形成してあるが、医療器具収納容器２Ａと薬液収納容器４Ａとの係合手段は、このような係合手段に限定されるものではなく、任意の係合構造を採用可能である。但し、医療器具収納部２と薬液収納部４とが着脱可能、すなわち薬液収納部４を後から取り外すことができる係合手段を採用するのが好ましい。このように薬液収納部４を後から取り外すことができれば、医療キット１の使用に際し、必要に応じて薬液収納部４を医療器具収納部２から取り外して使用することができ、とても便利である。
【００３５】
ここで、上記とは異なる係合手段の一例を紹介すると、図２に示すように、装着部３を、医療器具収納容器２Ａの鍔部５の一端辺を略矩形に切り欠き、その両側辺を並列に垂下させ、下端を対向するように折曲した嵌合片３ｄを有する構成とし、薬液収納容器４Ａを、側面４ｃの上方を外方に膨出させ、嵌合片３ｄに嵌合できる嵌合部４ｅを形成した構成とすることもできる。これにより、側方から薬液収納容器４Ａをスライドさせて係合することができる。
【００３６】
また、本実施例では、装着部３を医療器具収納容器２Ａの一隅に設けてあるが、これに限定するものではなく、適宜箇所に設けることができる。
さらにまた、一つの医療器具収納部２に対して、複数の薬液収納部４を取り付ける構成としてもよく、この場合、装着部３はそれに合わせて複数形成すればよい。
【００３７】
次に、本発明と比較するために、上記とは異なる他の構成例（参考例）について説明する。
【００３８】
図３は、参考例としての医療キット１０を示した斜視図、図４は図３の蓋材の変形例を示した斜視図である。
【００３９】
医療キット１０は、薬液収納部１２内に薬液を充填して蓋材１４で密封し、これを医療器具収納部１１に着脱可能に係合した後、医療器具収納部１１及び薬液収納部１２を一つの蓋材１３で被覆してなる構成のものである。
【００４０】
図３に示すように、この医療キット１０においては、医療器具収納部１１に薬液収納部１２を係合した際、医療器具収納部１１の上縁部１１ａ及び薬液収納部１２の上縁部１２ａを同一高さ、つまり、面一になるように形成される。
【００４１】
蓋材１３は、医療器具収納部１１の開口部１１ｂ及び薬液収納部１２の開口部１２ｂを共に被覆できる大きさを備えている。
蓋材１４は、上記蓋材１３とは別材質のものであり、その素材は特に限定するものではない。但し、防水性、耐薬品性がある素材を用いるのが好ましい。例えば、樹脂基材シートのシート面に金属薄膜層を積層してなる複合シートを好ましく用いることができ、具体的には、ポリエチレン、ポリプロピレン、ポリエチレンテレフタレートなどの樹脂基材シートに、アルミ等の金属を蒸着乃至ラミネートして金属薄膜層を積層してなる複合シートを好ましく用いることができる。
なお、滅菌方法によっては、放射線や電子線を反射する材質のものが好ましい場合もあり得る。
【００４２】
上記構成からなる医療キット１０は、次のようにして製造（組立て）することが可能である。但し、医療器具収納部１１及び薬液収納部１２は、以下に説明する以外の構成については上記医療器具収納部２及び薬液収納部３と同じ構成からなるものとする。
【００４３】
薬液収納部１２の収納室内に薬液を充填し、ヒートシール等の貼着方法によって蓋材１４で密封する。
次に、医療器具収納部１１の収納室内に、例えばピンセット、ガーゼ、綿球などの医療器具を収納し、前記の薬液収納部１２を医療器具収納部１１に着脱可能に係着する。そして、ヒートシール等の貼着方法によって蓋材１３を医療器具収納部１１及び薬液収納部１２に被着させて密封し、次いで滅菌処理を施して医療キット１０を完成する。
【００４４】
この際、滅菌処理の方法としては、薬液収納部１２内に収容された薬液の変質や、滅菌処理によって内部の薬液が蒸発して爆発等を生じる可能性のない滅菌処理方法を採用する必要がある。現在公知の滅菌処理方法の中で採用可能な方法は、γ線等の放射線を照射する方法のみであるが、今後開発される新たな滅菌処理を採用することは可能である。
【００４５】
図４に示すように、蓋材１３に、医療器具収納部１１の収納室２ａと薬液収納部１２の収納室４ｂとを隔てる位置にミシン目などの切り取り線１３ａを設けてもよい。これにより、開封する際、切り取り線１３ａで切り取りながら開封することにより、医療器具収納部１１又は薬液収納部１２のみを開封することができる医療キット１０とすることができる。
【００４６】
（医療キット１と医療キット１０との対比）
本発明の実施例としての医療キット１と、参考例としての医療キット１０とを比較すると、安全性、製造コスト、利便性、機能性などの点から、医療キット１の方が優れている。
すなわち、医療キット１０の場合には、医療器具収納部１１を滅菌処理する際、薬液収納部１２も同時に滅菌処理を受けることになるため、滅菌処理によって薬液の変質や薬液の蒸発による薬液収納部１２の爆発などの可能性がある。そのために、滅菌処理の方法及び蓋材１４等の材質がこれらの問題を生じないものに限定されることになる。これに対し、医療キット１の場合は、薬液収納部２のみを滅菌処理することができるから、薬液収納部４或いは収容された薬液に対する滅菌処理の影響を考慮する必要がなく、滅菌処理の方法及び蓋材９を自由に選択することができる。そのため、安全性、製造コスト、利便性、機能性などの点でより優れた製品を提供することができる。
【図面の簡単な説明】
【００４７】
【図１】（Ａ）は本発明の医療キットの一実施例の斜視図、（Ｂ）は（Ａ）のＸ−Ｘ断面図である。
【図２】（Ａ）は装着部３の他の一例を示した分解斜視図、（Ｂ）は（Ａ）の装着部３の断面図である。
【図３】参考例としての医療キットを示した斜視図である。
【図４】図３の蓋材の変形例を示した斜視図である。
【符号の説明】
【００４８】
１…医療キット  ２…医療器具収納部  ２Ａ…医療器具収納容器  ２ａ…収納室  ２ｂ…底面  ２ｃ、２ｄ…仕切壁  ２ｅ…載置部  ２ｆ…上縁部  ３…薬液収納部  ３ａ…開口部  ３ｂ…係合内縁部  ３ｃ…係合片  ３ｄ…嵌合片  ４…薬液収納部  ４Ａ…薬液収納容器  ４ａ…係合突起  ４ｂ…収納室  ４ｃ…側面  ４ｄ…上縁部  ４ｅ…嵌合部  ５…鍔部  ５ａ…シート面  ５ｂ…シール部  ６ａ、６ｂ、６ｃ…区画室  ７…蓋材  ８…鍔部  ８ａ…上面  ８ｂ…シール部  ９…蓋材  １０…医療キット用容器  １１…医療器具収納部  １１ａ…上縁部  １１ｂ…開口部  １２…薬液収納部  １２ａ…上縁部  １２ｂ…開口部  １３…蓋材  １３ａ…切り取り線  １４…蓋材
【要約】
【課題】医療器具及び薬液をともに収納可能であり、製造容易な医療キットを提供する。
【解決手段】医療器具を収納し、蓋材７にて密封してなる医療器具収納部２と、薬液を収納し、蓋材９にて密封してなる薬液収納部４とを備えた医療キット１において、医療器具収納部２と薬液収納部４とを着脱可能に係合してなる構成を備えた医療キット１とし、好ましくは、医療器具収納部２の鍔部５に薬液収納部４を着脱可能に係合できる装着部３を形成する。
【選択図】  図１
【図１】
0003635647.tif 000002
【図２】
0003635647.tif 000003
【図３】
0003635647.tif 000004
【図４】
0003635647.tif 000005